(57)【特許請求の範囲】
【請求項１】
平坦に近い凹面又は平坦な底面（２）を有する容器（１）の側面（３）の一方側面（３１）に一個乃至複数個の貫通孔（４、４・・・）を設け、その貫通孔（４、４・・・）を設けた側面（３１）と対向する側面（３２）の上端部に天板（６）を設け、貫通孔（４、４・・・）を設けた側面（３１）側の上端部と天板（６）の端部との間に開口部（Ａ）を生じるように配設したことを特徴とする水掬い具。
【請求項２】
上記貫通孔（４、４・・・）に網（８）を設けたことを特徴とする請求項１記載の水掬い具。
【請求項３】
上記天板（６）の上面に把手（５）を配設したことを特徴とする請求項１又は２記載の水掬い具。
【請求項４】
上記天板（６）の上面に長尺の握り棒（７）を立設したことを特徴とする請求項１又は２記載の水掬い具。
【請求項５】
上記側面（３１）の底面（２）から同一高さの二カ所に把手（５）の両端（５１、５２）を回動自在に連結して差し渡して配設したことを特徴とする請求項１又は２記載の水掬い具。
【発明の詳細な説明】
【技術分野】
【０００１】
本発明は、グランド、テニスコート、路面、建設現場のコンクリート、タンク、洪水の後処理などの滞留水を掬う方法に関するものである。
【背景技術】
【０００２】
従来グランド・路面等の滞留水を除水させる方法としては、人の手作業により柄杓やスコップで掬ったり、雑巾やスポンジ等に水を吸収させたり、トンボやブラシで側溝に流し込んだりしている。また特許第３５２６３００号の除水具は把手の付いた天板の下面にスポンジを取り付けた除水具である。それは把手を持ちスポンジを圧縮と開放させることによって水を吸収させた後、容器上にひっくり返して置いた複数の貫通孔を有する蓋の上に乗せ、把手を押さえて水を容器内に溜める除水具であり、特に滞留水が浅く残っている場合と地面に凹凸がある場合に効果を発揮する。
【０００３】
【特許文献１】特許第３５２６３００号
【発明の開示】
【発明が解決しようとする課題】
【０００４】
解決しようとする問題は、グランド、テニスコート、路面、建設現場のコンクリート、洪水の後処理等の滞留水の量は雨の降水量によって異なるが、滞留水の中には５ｃｍ以上の深い部分が存在する場合や滞留水が浅く地面に広がっている場合や広範囲に点在している場合や排水溝が遠方に在る場合など、様々な状況に対応して除水作業をしなければならない。また滞留水の水量は想像以上に多いもので、その水を除去する重要な点は、その水の回収方法が最も重要な点であり、短時間に除水作業を終了させるには多くの人手による方法が良く、多くの人が使用出来るように安価なものでなければならない。回収した後はバケツ等の容器に移して人手や台車によって運ぶことが出来る。特に冬期は水が冷たいので、水に触れずに作業ができる方法が最も望ましい。
【０００５】
本発明は、上述の点に鑑みて、除水作業をする時に人々が協力し易い方法で滞留水に触れることなく水だけを掬うことが出来るものであり、効率良く容器に溜めることが出来る水掬い具であることを課題としたものである。
【課題を解決するための手段】
【０００６】
そこで、本発明の請求項１記載の除水具（以下、本発明１と言う）は、平坦に近い凹面又は平坦な底面２を有する容器１の側面３の一方側面３１に一個乃至複数個の貫通孔４、４・・・を設け、その貫通孔４、４・・・を設けた側面３１と対向する側面３２の上端部に天板６を設け、貫通孔（４、４・・・）を設けた側面（３１）側の上端部と天板（６）の端部との間に開口部Ａを生じるように配設したことを特徴としている。
【０００７】
本発明で言う平坦に近い凹面とは、凹面鏡やメガネのレンズのように凹面の底と凹面の外周との差が少なく底面全体に水が薄く溜まるような凹面を言う。
【０００８】
かかる構成により、図１に示すように本発明１を持ち滞留水の底９に押し込んだ場合、一個乃至複数の貫通孔４、４・・・から流れ込んだ水は滞留水の水面８の高さまで溜まるので、本発明１本体の貫通孔４、４・・・側から本発明１本体を引き上げることによって水を掬うことが出来るものである。一個の穴の場合は大きい穴になり、小さい穴の場合は沢山設けても良い。
【０００９】
本発明の請求項２記載の水掬い具（以下、本発明２と言う）は、上記貫通孔４、４・・・に網８を設けたことを特徴としている。
【００１０】
かかる構成により、図２に示すように本発明２を滞留水の底９に押し込んだ場合、一個乃至複数個の貫通孔４、４・・・に設けた網１１から流れ込んだ水は滞留水の水面８の高さまで溜まるので、貫通孔４、４・・・側から傾斜させて引き上げることによって水を掬うことが出来るものである。
【００１１】
本発明２の網１１の設け方は、大きな一個の貫通孔４の場合はその穴に嵌め込んで取り付けるか或いは貫通孔４、４・・・全体に網１１を被せて側面３１の外側か或いは内側に取り付ける方法がある。そして複数個の貫通孔４、４・・・の場合も貫通孔４、４・・・全体に網１１を被せて側面３１の外側か或いは内側に取り付ける。
【００１２】
本発明の請求項３記載の水掬い具（以下、本発明３と言う）は、上記天板６の上面に把手５を配設したことを特徴としている。
【００１３】
かかる構成により、図３に示すように本発明３の把手５を持ち滞留水の底９に押し込んだ場合、図４−１に示すように一個乃至複数の貫通孔４、４・・・から流れ込んだ水は滞留水の水面８の高さまで溜まるので、図４−２に示すように本発明３本体の貫通孔４、４・・・側から本発明３本体を引き上げることによって水を掬うことが出来るものである。
【００１４】
本発明の請求項４記載の水掬い具（以下、本発明４と言う）は、上記天板６の上面に長尺の握り棒７を立設したことを特徴としている。
【００１５】
かかる構成により、図５に示すように本発明４に設けた握り棒７を握り、容器１の底面２を滞留水の底９に押し込んだ場合、一個乃至複数の貫通孔４、４・・・から流れ込んだ水は滞留水の水面の高さまで溜まるので、握り棒７を持ち貫通孔４、４・・・側から傾斜させて本発明４本体を引き上げることによって水を掬うことが出来るものである。
【００１６】
本発明の請求項５記載の水掬い具（以下、本発明５と言う）は、上記側面３１の底面２から同一高さの二カ所に把手５の両端５１、５２を回動自在に連結して差し渡して配設したことを特徴としている。
【００１７】
かかる構成により、図６に示すように本発明５に設けた把手５の握り部１３を持ち、容器１の底面２を滞留水の底９に押し込んだ場合、一個乃至複数の貫通孔４、４・・・から流れ込んだ水は滞留水の水面の高さまで溜まるので、握り部１３を持って引き上げることによって水を掬うことが出来るものである。
【発明の効果】
【００１８】
本発明１の効果として、図１に示すように容器１本体を持ち容器１の底面２を滞留水の底９に沈めた場合、図４−１〜４に示すように側面３１に設けた一個乃至複数個の貫通孔４、４・・・から流れ込んだ水は滞留水の水面８の高さまで溜められる。貫通孔４、４・・・から水が漏れないように貫通孔４、４・・・側から傾斜させて引き上げた時に水は天板６内に溜められ、そして三日月状の開口部Ａと貫通孔４，４・・・からバケツ、側溝などに水を流し込むことが出来るものである。
【００１９】
本発明２の効果として、図２に示すように容器１の底面２を滞留水の底９に沈めた場合、側面３１に設けた一個乃至複数個の貫通孔４、４・・・に網１１取り付けることによって砂、ゴミ、小石が除去されて流れ込んだ水は滞留水の水面８の高さまで溜められる。貫通孔４、４・・・から水が漏れないように貫通孔４、４・・・側から傾斜させて引き上げた時に水は天板６内に溜められ、そして三日月状の開口部Ａと貫通孔４，４・・・からバケツ、側溝などに水を流し込むことが出来るものである。
【００２０】
本発明３の効果として、図３に示すように容器１の天板６の上面に取り付けた把手５を持ち容器１の底面２を滞留水の底９に沈めた場合、図４−１〜４に示すように側面３１に設けた一個乃至複数個の貫通孔４、４・・・から流れ込んだ水は滞留水の水面８の高さまで溜められる。貫通孔４、４・・・から水が漏れないように貫通孔４、４・・・側から傾斜させて引き上げた時に水は天板６内に溜められ、そして開口部Ａと貫通孔４，４・・・からバケツ、側溝、タンクなどに水を流し込むことが出来るものである。
【００２１】
本発明４の効果として、図５に示すように容器１に取り付けた長尺の握り棒７を握り容器１の底面２を滞留水の底９に沈めた場合、図４−１〜４に示すように側面３１に設けた一個乃至複数個の貫通孔４、４・・・から流れ込んだ水は滞留水の水面８の高さまで溜められる。貫通孔４、４・・・から水が漏れないように長尺の握り棒７を握り、貫通孔４、４・・・側から傾斜させて引き上げた時に水は天板６内に溜められ、そして開口部Ａと貫通孔４，４・・・からバケツ、側溝などに水を流し込むことが出来るものである。
【００２２】
本発明５の効果として、図６に示すように容器１の側面３１の二カ所に回動自在にして設けた把手５の握り部１３を持ち容器１の底面２を滞留水の底９に沈めた場合、図４−１に示すように側面３１に設けた一個乃至複数個の貫通孔４、４・・・から流れ込んだ水は滞留水の水面８の高さまで溜められる。そして把手５の握り部１３を持ち引き上げることによって水は天板６内に溜められ、開口部Ａと貫通孔４，４・・・からバケツ、側溝、タンクなどに水を流し込むことが出来るものである。
【発明を実施するための最良の形態】
【００２３】
平坦に近い凹面又は平坦な底面２を有する容器１の側面３の一方側面３１に一個乃至複数個の貫通孔４、４・・・を設け、その貫通孔４、４・・・に網８を設け、側面３１と対向する側面３２の上端部に天板６を側面３１の上端部との間に開口部Ａを生じるように配設し、天板６の上面に把手５又は長尺の握り棒７を立設するか又は側面３１に把手５を回動自在にして差し渡し設けたことである。
【実施例１】
【００２４】
実施の形態の一例として、図１は本発明１の斜視図を示している。平坦に近い凹面又は平坦な底面２を有する容器１の側面３の一方側面３１に一個乃至複数個の貫通孔４、４・・・を設け、その貫通孔４、４・・・を設けた側面３１と対向する側面３２の上端部に天板６を設け、側面３１側の上端部との間に開口部Ａを生じるように配設したことで構成されている。
【００２５】
実施の形態の一例として、図１は本発明１の斜視図を示している。平坦に近い凹面又は平坦な底面２を有する容器１の側面３の一方側面３１に一個乃至複数個の貫通孔４、４・・・を設け、その貫通孔４、４・・・を設けた側面３１と対向する側面３２の上端部に天板６を設け、貫通孔（４、４・・・）を設けた側面（３１）側の上端部と天板（６）の端部との間に開口部Ａを生じるように配設したことで構成されている。
【００２６】
滞留水の底９には泥が沈殿している処もあるので、本発明１を水中に入れる時は泥が流れ込まないように滞留水を掻き混ぜないで静かに入れるようにすると良い。泥、ゴミ、小石などが入っても簡単に洗うことが出来る。また綺麗な滞留水の場所では貫通孔４、４・・・の直径を大きくしたものを使用することが出来る。
【００２７】
貫通孔４、４・・・の個数と直径の関係は直径を大きく個数を多くした場合は、容器１内に水は早く入ってくるが、容器１の貫通孔４、４・・・側の側面３１を上げた時に貫通孔４、４・・・から水は漏れ易くなる。また貫通孔４、４・・・の直径を小さくして個数を少なくした場合、水は溜まり難いが貫通孔４、４・・・から漏れる水量は少なくなる。そして水の溜まる容積は貫通孔４，４・・・の最下部と対向する天板６の前方辺を結ぶ線以下の部分になるので、容器１の形状は貫通孔４，４・・・側の側面３を浅くした形状でも良く、掬う容量を多くするには底面２の広い容器１にすれば良い。
【実施例２】
【００２８】
実施の形態の一例として、図２は本発明２の斜視図を示している。上記貫通孔４、４・・・に網８を設けたことで構成されている。
【００２９】
この容器１の底面２を滞留水の底９に沈めた場合、側面３１に設けた一個乃至複数個の貫通孔４、４・・・に取り付けた網１１によって砂、ゴミ、小石が除去された後に水は容器１内に流れ込んでくるので、水だけを掬い上げることが出来る。
【実施例３】
【００３０】
実施の形態の一例として、図３は本発明３の斜視図を示している。上記天板６の上面に把手５を配設したことで構成されている。
【００３１】
容器１の側面３より滞留水が浅い場所で本発明３の把手５を持って水中に押し込んだ場合、図４−１で示すように水は貫通孔４、４・・・によって制限されながら入ってくる。そして滞留水の水面８まで溜まった水を図４−３のように素早く掬い上げると水は天板６によって止められ毀れることなく多くの水を溜めることが出来る。そして図４−４のようにその容器１内に溜めた水をバケツやタンクに回収することが出来る。また容器１の側面３の高さより滞留水が深い場所で掬う場合は本発明３を斜めにする時に貫通孔４、４・・・から漏れる水以外は天板６の先端辺まで溜めることが出来るので、多くの水を効率よく掬うことが出来るものである。
【００３２】
実施の形態の一例として、図３で示している本発明３の容器１の材質は合成樹脂ポリプロピレンの直径２７ｃｍ、深さ１０ｃｍの円形をしている。その側面３１に直径５ｍｍの貫通孔４、４・・・を５４個開けてある。天板６として厚み１０ｍｍの防水加工の合板を側面３の上端部の突き出した部分に防水剤を塗り三日月状の開口部Ａを設けてねじ止めしている。把手５はプラスチックを取り付け１０ｃｍの深さの処で使用した場合、最大２．６リットルの水を一度に掬うことが出来た。その他の容器１の材質としてはステンレス、鉄、アルミも使用することが出来る。合成樹脂により貫通孔４、４・・・を開けたものを一体整形することで安価に製作することも出来る。天板６の別の材質としてプラスチック、アルミでも良い。把手５の材質は木、アルミパイプ、ステンレスパイプで製作することも出来る。また把手５と天板６との連結部を回動自在にすることも出来る。図３の斜視図の容器１は丸型であるが、方形や一部平面にした丸型でも良く、また貫通孔４、４・・・の形状も細長い方形にすることも出来る。
【実施例４】
【００３３】
実施の形態の一例として、図５は本発明４の斜視図を示している。上記天板６の上面に長尺の握り棒７を立設したことで構成されている。
【００３４】
本発明４に設けた長尺の握り棒７を持ち、容器１の底面２を滞留水の底９に押し込んだ場合、一個乃至複数個の貫通孔４、４・・・から流れ込んだ水は滞留水の水面の高さまで溜まるので、貫通孔４、４・・の反対側に握り棒７を倒して貫通孔４、４・・・が水面上に上がった後、傾斜させた状態のまま本発明４本体を引き上げることによって水を掬うことが出来るものであり、握り棒７を長尺にすることによって人が立った状態で持ち易く効率的に除水作業をすることが出来る。
【００３５】
図５では握り棒７に支持棒１２を取り付けた実施例について示しているが、支持棒１２を設けなくても良い。
【００３６】
実施の形態の一例として、握り棒７は直径３ｃｍ、長さ１．５ｍの木製のものを使用しているが、アルミパイプ、鉄パイプ、ステンレスパイプでも良い。
握り棒７の長さを長くすることによって、井戸やタンクや川の水も掬うことが出来るようになる。
【実施例５】
【００３７】
実施の形態の一例として、図６は本発明５の斜視図を示している。上記側面３１の底面２から同一高さの二カ所に把手５の両端５１、５２を回動自在に連結して差し渡して配設したことで構成されている。
【００３８】
図６に示すように容器１の側面３１の二カ所に回動自在にした把手５を持ち容器１の底面２を滞留水の底９に沈めた場合、側面３１に設けた一個乃至複数個の貫通孔４、４・・・から流れ込んだ水は滞留水の水面８の高さまで溜められる。そして握り部１３を持ち把手５を引き上げることに水は天板６内に溜められ、本発明５の本体の底を持ち上げて貫通孔４、４・・・と開口部Ａからバケツ、側溝、タンクなどに水を流し込むことが出来るものである。
【００３９】
実施の形態の一例として、図６で示している容器１の材質はステンレスを使用し直径３２ｃｍある。直径５ｍｍの貫通孔４を１００個開けてあり、側面３２は一部平面になっている深さ１２ｃｍの容器１で深さ１２ｃｍの滞留水の中に入れて掬った場合、最大６リットルの水を一度に掬うことが出来た。把手５の材質はステンレスの直径６ｍｍのものを円形にして木製の握り部１３を取り付けてある。
【００４０】
本発明１、２、３、４及び５の水掬い具を使用して、出来るだけ水を掬い上げることによって、除水作業の時間を短縮することが出来る。そして掬えなくなって浅く残っている滞留水は特許第３５２６３００号の除水具を使用して綺麗に吸い取ることが出来る。
【図面の簡単な説明】
【００４１】
【図１】本発明１の実施の形態の一例を示す斜視図である。
【図２】本発明２の実施の形態の一例を示す斜視図である。
【図３】本発明３の実施の形態の一例を示す斜視図である。
【図４】本発明３の実施の形態の一例を示す説明図である。
【図５】本発明４の実施の形態の一例を示す斜視図である。
【図６】本発明５の実施の形態の一例を示す斜視図である。
【符号の説明】
【００４２】
１    容器
２    底面
３    側面
４    貫通孔
５    把手
６    天板
７    握り棒
８    滞留水の水面
９    滞留水の底
１０    バケツ
１１    網
１２    支持棒
１３    握り部
３１    側面
３２    側面
５１    把手の端
５２    把手の端
【要約】
【課題】
除水作業をする時に人々が協力し易い方法で滞留水に触れることなく水だけを掬うことが出来るものであり、効率良く容器に溜めることが出来る水掬い具であることを課題としたものである。
【解決手段】
平坦に近い凹面又は平坦な底面２を有する容器１の側面３の一方側面３１に一個乃至複数個の貫通孔４、４・・・を設け、その貫通孔４、４・・・を設けた側面３１と対向する側面３２の上端部に天板６を設け、貫通孔（４、４・・・）を設けた側面（３１）側の上端部と天板（６）の端部との間に開口部Ａを生じるように配設したことである。  
【選択図】  図１
【図１】
0003587386.tif 000002
【図２】
0003587386.tif 000003
【図３】
0003587386.tif 000004
【図４】
0003587386.tif 000005
【図５】
0003587386.tif 000006
【図６】
0003587386.tif 000007